【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
表示装置であって、
第１画像情報及び第１識別子を記憶する第１記憶装置が接続されるインターフェイスと、
前記第１画像情報に基づく第１画像を表示する表示部と、
第２画像情報を記憶する第２記憶装置を有する他の表示装置とネットワークを介して接続され、前記他の表示装置と通信を行う通信部と、
前記通信部による通信に基づいて、前記第１識別子に対応する第２識別子が前記第２記憶装置に記憶されているか否かを判別し、前記第２識別子が前記第２記憶装置に記憶されている場合に、前記表示部による前記第１画像の表示と、前記他の表示装置による前記第２画像情報に基づく第２画像の表示と、を同期させる制御部と、
を備えたことを特徴とする表示装置。
【請求項２】
請求項１に記載の表示装置であって、
前記制御部は、前記第２識別子が前記第１識別子と同一の場合に、前記第１画像の表示と前記第２画像の表示とを同期させることを特徴とする表示装置。
【請求項３】
請求項１又は請求項２に記載の表示装置であって、
前記制御部は、
前記表示装置がマスター機であるかスレーブ機であるかを決定し、
前記表示装置が前記マスター機である場合には、前記通信部から前記他の表示装置に第１同期信号を送信させるとともに、前記第１同期信号に同期して前記表示部に前記第１画像を表示させ、
前記表示装置が前記スレーブ機である場合には、前記他の表示装置から前記通信部に送信される第２同期信号に同期して、前記表示部に前記第１画像を表示させることを特徴とする表示装置。
【請求項４】
請求項３に記載の表示装置であって、
前記第１記憶装置及び前記第２記憶装置には、前記第１画像及び前記第２画像を表示するタイミングを規定するスケジュール情報が記憶されており、
前記表示装置が前記マスター機である場合に、前記制御部は、前記スケジュール情報に基づいて前記表示部に前記第１画像を表示させるとともに、前記スケジュール情報に基づいて前記第１同期信号を前記他の表示装置に送信することを特徴とする表示装置。
【請求項５】
請求項４に記載の表示装置であって、
前記表示装置が前記スレーブ機である場合であって、前記スケジュール情報に基づくタイミングで前記他の表示装置から前記第２同期信号が送信されない場合に、前記制御部は、前記表示装置が前記マスター機であるか前記スレーブ機であるかを決定し直すことを特徴とする表示装置。
【請求項６】
ネットワークを介して接続された第１表示装置及び第２表示装置を含む表示システムであって、
前記第１表示装置は、第１画像情報及び第１識別子を記憶する第１記憶装置が接続される第１インターフェイスを有し、
前記第２表示装置は、第２画像情報を記憶する第２記憶装置が接続される第２インターフェイスを有し、
前記第１表示装置は、
前記第１画像情報に基づく第１画像を表示する表示部と、
前記第２表示装置と前記ネットワークを介して通信を行う通信部と、
前記通信部による通信に基づいて、前記第１識別子に対応する第２識別子が前記第２記憶装置に記憶されているか否かを判別し、前記第２識別子が前記第２記憶装置に記憶されている場合に、前記表示部による前記第１画像の表示と、前記第２表示装置による前記第２画像情報に基づく第２画像の表示とを同期させる制御部と、
を備えることを特徴とする表示システム。
【請求項７】
請求項６に記載の表示システムであって、
前記制御部は、前記第２識別子が前記第１識別子と同一の場合に、前記第１画像の表示と前記第２画像の表示とを同期させることを特徴とする表示システム。
【請求項８】
請求項６又は請求項７に記載の表示システムであって、
前記制御部は、
前記第１表示装置がマスター機であるかスレーブ機であるかを決定し、
前記第１表示装置が前記マスター機である場合には、前記通信部から前記第２表示装置に第１同期信号を送信させるとともに、前記第１同期信号に同期して前記表示部に前記第１画像を表示させ、
前記第１表示装置が前記スレーブ機である場合には、前記第２表示装置から前記通信部に送信される第２同期信号に同期して、前記表示部に前記第１画像を表示させることを特徴とする表示システム。
【請求項９】
表示装置による表示方法であって、
前記表示装置を、第１画像情報及び第１識別子を記憶する第１記憶装置に接続させ、
前記表示装置を、第２画像情報を記憶する第２記憶装置を有する他の表示装置とネットワークを介して通信させ、
前記第１識別子に対応する第２識別子が前記第２記憶装置に記憶されているか否かを判別し、
前記第２識別子が前記第２記憶装置に記憶されている場合に、前記第１画像情報に基づく第１画像の表示と、前記他の表示装置による前記第２画像情報に基づく第２画像の表示とを同期させることを特徴とする表示方法。
【手続補正２】
【補正対象書類名】明細書
【補正対象項目名】００１５
【補正方法】変更
【補正の内容】
【００１５】
本願の表示装置による表示方法は、第１画像情報及び第１識別子を記憶する第１記憶装置が接続され、第２画像情報を記憶する第２記憶装置を有する他の表示装置とネットワークを介して通信を行い、前記第１識別子に対応する第２識別子が前記第２記憶装置に記憶されているか否かを判別し、前記第２識別子が前記第２記憶装置に記憶されている場合に、前記第１画像情報に基づく第１画像の表示と、前記他の表示装置による前記第２画像情報に基づく第２画像の表示とを同期させることを特徴とする。
【手続補正３】
【補正対象書類名】明細書
【補正対象項目名】００６２
【補正方法】変更
【補正の内容】
【００６２】
図４に示すように、ステップＳ３１では、ステップＳ１５において、自分がマスター機でないと判定されたプロジェクター１、即ちスレーブ機である第２プロジェクター１ｂ及び第３プロジェクター１ｃの制御部１０は、各ＳＤカード２に記憶されているスケジュール情報を読み出す。制御部１０は、読み出したスケジュール情報に基づいて、次に再生すべきプレイリストを認識する。
【手続補正４】
【補正対象書類名】明細書
【補正対象項目名】００６８
【補正方法】変更
【補正の内容】
【００６８】
ステップＳ３２において、プレイリストの再生を開始するための同期信号が受信されずにステップＳ４１に処理が移行した場合には、第２プロジェクター１ｂ及び第３プロジェクター１ｃの制御部１０は、自分が保有するスケジュール情報に基づいて、再生開始日時から所定時間が経過したか否かを判定する。所定時間が経過していれば、マスター機に異常が生じたと判断し、ステップＳ１１に処理を移行し、再度ネットワークＮＷに繋がっている同一グループのプロジェクター１の中からマスター機を選定し直す。このようになる場合の一例としては、マスター機である第１プロジェクター１ａが故障している場合や、電源がオフの場合、ネットワークＮＷから離脱した場合などが挙げられる。所定時間が経過していなければ、ステップＳ３２に処理を移行する。なお、マスター機を設定し直して、同期再生ができるようになった場合は、再生する時間が過ぎていても、プレイリストが終了するまでの時間は同期再生を開始する。
【手続補正５】
【補正対象書類名】明細書
【補正対象項目名】００６９
【補正方法】変更
【補正の内容】
【００６９】
ステップＳ３４において、プレイリストの再生を終了するための同期信号が受信されずにステップＳ４２に処理が移行した場合には、第２プロジェクター１ｂ及び第３プロジェクター１ｃの制御部１０は、自分のスケジュール情報に基づいて、再生終了日時から所定時間が経過したか否かを判定する。所定時間が経過していれば、マスター機に異常が生じたと判断し、ステップＳ４３に処理を移行する。所定時間が経過していなければ、ステップＳ３４に処理を移行する。
【手続補正６】
【補正対象書類名】明細書
【補正対象項目名】００７０
【補正方法】変更
【補正の内容】
【００７０】
ステップＳ４３では、第２プロジェクター１ｂ及び第３プロジェクター１ｃの制御部１０は、プレイリストの再生を終了し、ステップＳ１１に処理を移行し、再度ネットワークＮＷに繋がっている同一グループのプロジェクター１の中からマスター機を選定し直す。
【手続補正７】
【補正対象書類名】明細書
【補正対象項目名】０１１２
【補正方法】変更
【補正の内容】
【０１１２】
表示装置による表示方法は、第１画像情報及び第１識別子を記憶する第１記憶装置が接続され、第２画像情報を記憶する第２記憶装置を有する他の表示装置とネットワークを介して通信を行い、前記第１識別子に対応する第２識別子が前記第２記憶装置に記憶されているか否かを判別し、前記第２識別子が前記第２記憶装置に記憶されている場合に、前記第１画像情報に基づく第１画像の表示と、前記他の表示装置による前記第２画像情報に基づく第２画像の表示とを同期させることを特徴とする。